(57)【要約】      （修正有）【課題】薄型で小型のレンズ系を提供する。【解決手段】レンズ系は、物体側から順に、両面が非球面に形成された両凸形状の第１レンズ１と、少なくとも片側の面が非球面に形成された両凹形状の第２レンズ２と、両面が非球面に形成された正レンズである第３レンズ３と、両面が非球面に形成された負レンズである第４レンズ４とを備え、前記第４レンズの像側の非球面が、その有効範囲内に変曲点を有し、前記第１レンズ１、及び前記第２レンズ２の曲率半径を適切に制限する。【選択図】図１
2010191417.tif 000002
【特許請求の範囲】
【請求項１】
レンズ系であって、
物体側から順に、
両面が非球面に形成された両凸形状の第１レンズと、
少なくとも片側の面が非球面に形成された両凹形状の第２レンズと、
両面が非球面に形成された正レンズである第３レンズと、
両面が非球面に形成された負レンズである第４レンズとを備え、
前記第４レンズの像側の非球面が、その有効範囲内に変曲点を有し、かつ下記の数式１及び数式２を満たすことを特徴とするレンズ系。
＜数式１＞
｜Ｌ１Ｒ１｜＞｜Ｌ１Ｒ２｜
＜数式２＞
０．８＜｜Ｌ１Ｒ２｜／｜Ｌ２Ｒ２｜＜１．１
ただし、Ｌ１Ｒ１は第１レンズの物体側の曲率半径を、Ｌ１Ｒ２は第１レンズの像側の曲率半径を、Ｌ２Ｒ２は第２レンズの像側の曲率半径を表す。
【請求項２】
下記の数式３を満たすことを特徴とする請求項１に記載のレンズ系。
＜数式３＞
１．０＜ｆ／｜ｆ２｜＜２．０
ただし、ｆはレンズ系全体の焦点距離を、ｆ２は第２レンズの焦点距離を表す。
【請求項３】
下記の数式４及び数式５を満たすことを特徴とする請求項２に記載のレンズ系。
＜数式４＞
０．７＜ｆ１／｜ｆ２｜＜１．１
＜数式５＞
０．７＜ｆ３／｜ｆ４｜＜１．２
ただし、ｆ１は第１レンズの焦点距離を、ｆ２は第２レンズの焦点距離を、ｆ３は第３レンズの焦点距離を、ｆ４は第４レンズの焦点距離を表す。
【請求項４】
下記の数式６及び数式７を満たすことを特徴とする請求項３に記載のレンズ系。
＜数式６＞
ν１−ν２＞１５
＜数式７＞
０．９＜ν３／ν４＜１．１
ただし、ν１は第１レンズのアッベ数を、ν２は第２レンズのアッベ数を、ν３は第３レンズのアッベ数を、ν４は第４レンズのアッベ数を表す。
【請求項５】
下記の式を満たすことを特徴とする請求項１に記載のレンズ系。
＜数式６＞
ν１−ν２＞１５
＜数式７＞
９＜ν３／ν４＜１．１
ただし、ν１は第１レンズのアッベ数を、ν２は第２レンズのアッベ数を、ν３は第３レンズのアッベ数を、ν４は第４レンズのアッベ数を表す。
【請求項６】
前記第１レンズの物体面または前記第１レンズの物体側にストップを備えることを特徴とする請求項１に記載のレンズ系。
【請求項７】
下記の数式４及び数式５を満たすことを特徴とする請求項１に記載のレンズ系。
＜数式４＞
０．７＜ｆ１／｜ｆ２｜＜１．１
＜数式５＞
０．７＜ｆ３／｜ｆ４｜＜１．２
ただし、ｆ１は第１レンズの焦点距離を、ｆ２は第２レンズの焦点距離を、ｆ３は第３レンズの焦点距離を、ｆ４は第４レンズの焦点距離を表す。
【発明の詳細な説明】
【技術分野】
【０００１】
本発明は、小型かつ薄型のレンズ系に関する。
【背景技術】
【０００２】
近年、ＣＣＤ（Charge Coupled Device）やＣＭＯＳ（Complementary Metal-Oxide Semiconductor）などの固体撮像素子を持つデジタルスチルカメラやデジタルビデオカメラが広く使用されている。特に、メガピクセルの高解像度を有するカメラモジュールへの需要が高まっており、５００万ピクセルを超える高解像度を有するカメラが良く使用されておる。ＣＣＤまたはＣＭＯＳなどの撮像素子を利用したデジタルカメラや携帯電話カメラなどの撮像光学機器は、小型化、軽量化、低製造コスト化が求められている。さらに、携帯電話カメラを使用した画像通信が行われる場合、カメラの小型化は必須である。
【０００３】
固体撮像素子の進歩により、主光線の出射角（以降、単に「出射角」と呼ぶ）を２０〜２５°にすることが可能となったため、薄型かつ小型のレンズが多数開発されている。
【０００４】
また、固体撮像素子の画素ピッチを１．７５μｍ未満とすること及び固体撮像素子のレンズ系の解像度を向上させることが求められている。さらに、固体撮像素子の薄型化への要求も高まっている。しかし、画素ピッチを１．７５μｍ未満にすると色収差の補正を十分に行うことが難しくなるため、レンズ系における所望の解像度が容易に得られない。画素ピッチが１．７５μｍ未満の場合に色収差の補正を良好に行うためには、レンズ系の全長を固体撮像素子の対角長さに対して長くする必要があるため、薄型化への要求を満たすことができない。薄型化のためには、後焦点距離を短縮することも一つの方法であるが、後焦点距離を過度に短縮すると、赤外線（ＩＲ）遮断フィルタなどのガラス材料を挿入するための空間を撮像レンズの後方に確保できなくなるという問題や、組み立てマージンが減少するという問題がある。また、射出角度を大きくすることにより固体撮像素子を容易に薄型化することができるが、その場合は、シェーディング特性が低下し得る。このように、レンズ系の解像度の向上とレンズ系の薄型化とを両立させることは難しい。関連分野の先行技術文献としては、特許文献１がある。
【先行技術文献】
【特許文献】
【０００５】
【特許文献１】特開２００２−２２８９２２号公報
【発明の概要】
【発明が解決しようとする課題】
【０００６】
本発明は、上記のような問題点を解決するためになされたものであり、高解像度で薄型の撮像レンズ系を提供することを目的とする。
【課題を解決するための手段】
【０００７】
本発明の一実施形態によれば、レンズ系であって、物体側から順に、両面が非球面に形成された両凸形状の第１レンズと、少なくとも片側の面が非球面に形成された両凹形状の第２レンズと、両面が非球面に形成された正レンズである第３レンズと、両面が非球面に形成された負レンズである第４レンズとを備え、前記第４レンズの像側の非球面が、その有効範囲内に変曲点を有し、かつ下記の数式１及び数式２を満たすレンズ系を提供する。
【０００８】
＜数式１＞
｜Ｌ１Ｒ１｜＞｜Ｌ１Ｒ２｜
【０００９】
＜数式２＞
０．８＜｜Ｌ１Ｒ２｜／｜Ｌ２Ｒ２｜＜１．１
【００１０】
ただし、Ｌ１Ｒ１は第１レンズの物体側の曲率半径を、Ｌ１Ｒ２は第１レンズの像側の曲率半径を、Ｌ２Ｒ２は第２レンズの像側の曲率半径を表す。
【００１１】
本発明の他の実施形態によれば、レンズ系は下記の数式３を満たす。
【００１２】
＜数式３＞
１．０＜ｆ／｜ｆ２｜＜２．０
【００１３】
ただし、ｆはレンズ系全体の焦点距離を、ｆ２は第２レンズの焦点距離を表す。
【００１４】
本発明の他の実施形態によれば、レンズ系は下記の数式４及び数式５を満たす。
【００１５】
＜数式４＞
０．７＜ｆ１／｜ｆ２｜＜１．１
【００１６】
＜数式５＞
０．７＜ｆ３／｜ｆ４｜＜１．２
【００１７】
ただし、ｆ１は第１レンズの焦点距離を、ｆ２は第２レンズの焦点距離を、ｆ３は第３レンズの焦点距離を、ｆ４は第４レンズの焦点距離を表す。
【００１８】
本発明の他の実施形態によれば、レンズ系は下記の数式６及び数式７を満たす。
【００１９】
＜数式６＞
ν１−ν２＞１５
【００２０】
＜数式７＞
０．９＜ν３／ν４＜１．１
【００２１】
ただし、ν１は第１レンズのアッベ数を、ν２は第２レンズのアッベ数を、ν３は第３レンズのアッベ数を、ν４は第４レンズのアッベ数を表す。
【００２２】
本発明の他の実施形態によれば、前記第１レンズの物体面に、あるいは前記第１レンズの物体側にストップを備える。
【図面の簡単な説明】
【００２３】
【図１】本発明の第１実施形態によるレンズ系を示した図面である。
【図２】図１に図示したレンズ系の収差図である。
【図３】本発明の第２実施形態によるレンズ系を示した図面である。
【図４】図３に図示したレンズ系の収差図である。
【図５】本発明の第３実施形態によるレンズ系を示した図面である。
【図６】図５に図示したレンズ系の収差図である。
【図７】本発明の第４実施形態によるレンズ系を示した図面である。
【図８】図６に図示したレンズ系の収差図である。
【図９】本発明の第５実施形態によるレンズ系を示した図面である。
【図１０】図９に図示したレンズ系の収差図である。
【発明を実施するための形態】
【００２４】
以下、本発明の一実施形態による撮像レンズ系について、添付した図面を参照して詳細に説明する。
【００２５】
図１を参照して、本発明の一実施形態による撮像レンズ系は、物体側Ｏから順に、第１レンズ１と、第２レンズ２と、第３レンズ３と、第４レンズ４とを備えている。第４レンズ４の像側Ｉにはフィルタ５が配置され得る。
【００２６】
第１レンズ１の物体側Ｏの面に、あるいは第１レンズ１の物体側Ｏに、所定の口径を有するストップ（絞り）ＳＴが配置される。第１レンズ１は、両面が非球面に形成された両凸形状のレンズである。第２レンズ２は、少なくとも片側の面が非球面に形成された両凹形状のレンズである。第３レンズ３は、両面が非球面に形成された正の屈折力を持つレンズ（正レンズ）である。第４レンズ４は、両面が非球面に形成された負の屈折力を持つレンズ（負レンズ）である。
【００２７】
本発明は、１．７５μｍ未満の画素ピッチに対応可能な解像度を有し、Ｔ／Ｄ（レンズ系の全長Ｔと固体撮像素子の対角長さＤとの比）の値が１未満の、超薄型の撮像レンズ系を提供する。ただし、レンズ系の全長は、ストップまたは第１レンズ１における物体側Ｏに最も近い位置から焦点位置までの光軸に沿った距離である（レンズ系の後側（像側）に挿入され得るガラス部材を除外した空気換算長）。また、シェーディング特性が低下しないように、十分な後焦点距離Ｂｆ（レンズ系の後側（像側）に挿入され得るガラス部材を含んで０．９５ｍｍ以上）を確保する。また、本発明は、７０°以上の画角が得られるように、射出角度を約２０〜２５°に減少させた撮像レンズ系を提供する。
【００２８】
第４レンズ４の像側Ｉの非球面形状は、有効範囲内で変曲点を持ち、下記の数式１及び数式２を満たす。有効範囲とは、有効口径範囲のことであり、変曲点とは、非球面により形成された接平面角度が光軸から周辺部へ行くにつれて徐々に大きくなってから小さくなるか、または徐々に小さくなってから大きくなる点のことである。つまり、変曲点とは、接平面角度の正負の符号が変化する（すなわち凹凸形状が変化する）点のことである。
【００２９】
＜数式１＞
｜Ｌ１Ｒ１｜＞｜Ｌ１Ｒ２｜
【００３０】
＜数式２＞
０．８＜｜Ｌ１Ｒ２｜／｜Ｌ２Ｒ２｜＜１．１
【００３１】
ただし、Ｌ１Ｒ１は第１レンズ１の物体側Ｏ面の曲率半径を、Ｌ１Ｒ２は第１レンズ１の像側Ｉ面の曲率半径を、Ｌ２Ｒ２は第２レンズ２の像側Ｉ面の曲率半径を表す。
【００３２】
数式１と数式２を満たした場合、７０°以上の画角（３５°以上の半画角）を確保すると共に、諸収差を補正することができ、望ましい解像度、後焦点距離Ｂｆ、Ｔ／Ｄ、射出角度を得られる。その結果、レンズ系の全長の短縮及び射出角度の減少が達成されるので、適切な後焦点距離及び７０°の画角が得られる。従来、諸収差を補正するために、第１レンズ１と第２レンズ２との間にストップを配置することが知られている。しかし、その場合は、同一全長のレンズ系に比べて、射出瞳位置の距離が短くなるので、射出角度は増加する。また、増加した射出角度を補正しようとすると、レンズ系の全長が長くなるため、薄型で小型の撮像レンズ系を提供することができない。
【００３３】
数式１、２を満たすように撮像レンズ系を構成することによって、７０°以上の画角の確保と、諸収差の良好な補正とを両立することができる。数式１、２を満たさなければ、画角の確保と諸収差の補正との両立が難しくなる。
【００３４】
また、各レンズ面が非球面を持つようにすることによって、諸収差を効果的に補正することができる。光軸付近の収差は第１レンズ１及び第２レンズ２の非球面により、光軸の周辺部の収差は第３レンズ３及び第４レンズ４の非球面により効果的に補正することができる。
【００３５】
第４レンズ４の像側の非球面が、その有効範囲内に変曲点を持つことによって、全長の減少に起因する光軸の周辺部における収差の悪化を補正し、それと同時に射出角度を補正することができる。
【００３６】
また、本発明の他の実施形態による撮像レンズ系は次の数式を満たす。
【００３７】
＜数式３＞
１．０＜ｆ／｜ｆ２｜＜２．０
【００３８】
ただし、ｆは撮像レンズ系の焦点距離を、ｆ２は第２レンズ２の焦点距離を表す。数式３を満たした場合、レンズ系の全長を短縮することができ、それにより、適切な後焦点距離を確保することが容易になる。数式３を満たさない場合、色収差や球面収差などを補正すると共に、レンズ系の全長を短縮することあるいは後焦点距離を確保することが難しくなる。
【００３９】
本発明の別の実施形態による撮像レンズ系は次の数式を満たす。
【００４０】
＜数式４＞
０．７＜ｆ１／｜ｆ２｜＜１．１
【００４１】
＜数式５＞
０．７＜ｆ３／｜ｆ４｜＜１．２
【００４２】
ただし、ｆ１は第１レンズの焦点距離を、ｆ２は第２レンズの焦点距離を、ｆ３は第３レンズの焦点距離を、ｆ４は第４レンズの焦点距離を表す。
【００４３】
数式４及び数式５の条件を満たした場合、いくつかの収差をより容易に補正することができる。数式４を満たした場合は、撮像レンズ系の全長を短縮すると共に、光軸付近の収差補正が容易になる。数式５を満たした場合は、光軸周辺部の収差補正が容易になる。数式４及び数式５を満たさない場合は、所望の射出角度を維持しながら、レンズ系の全長の短縮すること及び諸収差を補正することが難しくなる。
【００４４】
本発明のさらなる別の実施形態によるレンズ系は、次の数式６を満たす。
【００４５】
＜数式６＞
ν１−ν２＞１５
【００４６】
＜数式７＞
０．９＜ν３／ν４＜１．１
【００４７】
ただし、ν１は第１レンズのアッベ数を、ν２は第２レンズのアッベ数を、ν３は第３レンズのアッベ数を、ν４は第４レンズのアッベ数を表す。数式６及び７の条件を満たした場合は、色収差の補正が容易になる。数式６を満たした場合は、軸上色収差及び倍率色収差の両方を容易に補正できる。
【００４８】
数式７は、撮像レンズ系の全領域にわたる倍率の色収差の補正に関与し、数式７の条件を満たさなければ、撮像レンズ系の中間部分における倍率色収差の補正はできるものの、撮像レンズ系の最周辺部における倍率色収差の補正は困難になる（あるいはその逆となる）。
【００４９】
本発明の実施形態による撮像レンズ系では、非球面は次のように定義される。
【００５０】
【数１】
2010191417.tif 000003
【００５１】
ただし、光軸方向をｘ軸とし、光軸方向に対する垂直方向をｙ軸とし、光線の進行方向を正とする。また、ｘは、レンズ表面の頂点からの光軸に沿った距離であり、ｙは、光軸に対して垂直方向の距離であり、Ｋは、円錐定数であり、Ａ、Ｂ、Ｃ及びＤは、非球面係数であり、ｃ´は、レンズの頂点における曲率の逆数（１／Ｒ）である。
【００５２】
以下、様々な設計による本発明の実施例を説明する。
【００５３】
＜第１実施例＞
【００５４】
本発明の第１実施例のレンズ系（図１参照）のレンズデータを次に示す。
物体距離：無限大、焦点距離：４．９０５ｍｍ、ＦＮｏ：２．６９、半画角：３６．３°、射出角度：２３．７°、Ｂｆ（空気換算）：１．６４９ｍｍ、Ｂｆ（後部ガラスを含む）：１．７５２ｍｍ、Ｔ／Ｄ：６．８０４／７．０７＝０．９６２
（数式１）｜Ｌ１Ｒ１｜＞｜Ｌ１Ｒ２｜→｜５．４１３７｜＞｜−２．５７５１｜
（数式２）０．８＜｜Ｌ１Ｒ２｜／｜Ｌ２Ｒ２｜＜１．１→｜−２．５７５１｜／｜２．５０７７｜＝１．０２７
（数式３）１．０＜ｆ／｜ｆ２｜＜２．０→４．９０５／｜−２．８６８７｜＝１．７１０
（数式４）０．７＜ｆ１／｜ｆ２｜＜１．１→２．６９２６／｜−２．８６８７｜＝０．９３９
（数式５）０．７＜ｆ３／｜ｆ４｜＜１．２→３．５５７７／｜−４．２２２５｜＝０．８４３
（数式６）ν１−ν２＞１５→５３．２−３１．２＝２２．０
（数式７）０．９＜ν３／ν４＜１．１→５６．５／５６．５＝１．０
【００５５】
曲率半径                間隔          屈折率        アッベ数
Ｓ１（ＳＴ）  ５．４１３７（非球面）  １．３５５０  １．６９３５０  ５３．２
Ｓ２        −２．５７５１（非球面）  ０．１２９９
Ｓ３      −１０．７９９３（非球面）  ０．７１４４  １．６８８９３  ３１．２
Ｓ４          ２．５０７７（非球面）  ０．５７８０
Ｓ５      −２６．９２０３（非球面）  １．３７９９  １．５３１２０  ５６．５
Ｓ６        −１．８０４３（非球面）  ０．２５２６
Ｓ７          ３．１３３８（非球面）  ０．６４２４  １．５３１２０  ５６．５
Ｓ８          １．２１７０（非球面）  ０．３７３０
Ｓ９          無限大                  ０．３０００  １．５１６８０  ６４．２
Ｓ１０        無限大                  １．０７８９
ＩＭＧ        無限大                  ０．０００
【００５６】
非球面係数
Ｓ１  Ｋ：−９２．０４５７００
Ａ：０．４６９９８７Ｅ−０１    Ｂ：−０．８１６９７５Ｅ−０１
Ｃ：０．５７０２４１Ｅ−０１    Ｄ：−０．２４５１９２Ｅ−０１
Ｓ２  Ｋ：−１．９５３６００
Ａ：−０．５７５３２２Ｅ−０１  Ｂ：０．３７３６８４Ｅ−０１
Ｃ：−０．１９４３６２Ｅ−０１  Ｄ：０．１６７２６４Ｅ−０２
Ｓ３  Ｋ：３８．４４８５００
Ａ：−０．８７６７２７Ｅ−０１  Ｂ：０．８０８９３３Ｅ−０１
Ｃ：−０．３２９５６８Ｅ−０１  Ｄ：０．４６７２７８Ｅ−０２
Ｓ４  Ｋ：−６．５９８４００
Ａ：−０．７５５３０７Ｅ−０２  Ｂ：０．１６０９１６Ｅ−０１
Ｃ：−０．４６３０１６Ｅ−０２  Ｄ：０．３８２７１５Ｅ−０３
Ｓ５  Ｋ：１１８．４１６３００
Ａ：０．２５２４２４Ｅ−０１    Ｂ：−０．１７７７０７Ｅ−０１
Ｃ：０．７１３３１６Ｅ−０２    Ｄ：−０．９１９０２７Ｅ−０３
Ｓ６  Ｋ：−６．１２８７００
Ａ：−０．５９１４６１Ｅ−０１  Ｂ：０．３４７２８３Ｅ−０１
Ｃ：−０．１５３３１１Ｅ−０１  Ｄ：０．３８９２７２Ｅ−０２
Ｅ：−０．３５２４５２Ｅ−０３
Ｓ７  Ｋ：−２１．３０３５００
Ａ：−０．６４１８５８Ｅ−０１  Ｂ：０．６７１６９６Ｅ−０２
Ｃ：０．３９０１４２Ｅ−０３    Ｄ：−０．５９３５２２Ｅ−０４
Ｓ８  Ｋ：−４．４６４１００
Ａ：−０．４６３８９９Ｅ−０１  Ｂ：０．８０６７２７Ｅ−０２
Ｃ：−０．１１０２９７Ｅ−０２  Ｄ：０．８５６９８８Ｅ−０４
Ｅ：−０．２８５６２０Ｅ−０５
【００５７】
＜第２実施例＞
【００５８】
本発明の第２実施例のレンズ系（図３参照）のレンズデータを次に示す。
物体距離：無限大、焦点距離：４．８８４ｍｍ、ＦＮｏ：２．６９、半画角：３６．５°、射出角度：２３．３°、Ｂｆ（空気換算）：１．４２６ｍｍ、Ｂｆ（後部ガラスを含む）：１．５２９ｍｍ、Ｔ／Ｄ：６．８５７／７．０７＝０．９７０
（数式１）｜Ｌ１Ｒ１｜＞｜Ｌ１Ｒ２｜→｜５．４７６８｜＞｜−２．２３９４｜
（数式２）０．８＜｜Ｌ１Ｒ２｜／｜Ｌ２Ｒ２｜＜１．１→｜−２．２３９４｜／｜２．６４３３｜＝０．８４７
（数式３）１．０＜ｆ／｜ｆ２｜＜２．０→４．８８４／｜−２．９８９６｜＝１．６３４
（数式４）０．７＜ｆ１／｜ｆ２｜＜１．１→２．７３６７／｜−２．９８９６｜＝０．９１５
（数式５）０．７＜ｆ３／｜ｆ４｜＜１．２→３．３５９２／｜−３．４７６９｜＝０．９６６
（数式６）ν１−ν２＞１５→５８．２−３１．２＝２７．０
（数式７）０．９＜ν３／ν４＜１．１→５６．５／５６．２＝１．００５
【００５９】
曲率半径                  間隔          屈折率        アッベ数
Ｓ１（ＳＴ）  ５．４７６８０（非球面）  １．４２３８  １．６２２６３  ５８．２
Ｓ２        −２．２３９４０（非球面）  ０．１６５１
Ｓ３      −１０．７７０４０            ０．７４３８  １．６８８９３  ３１．２
Ｓ４          ２．６４３３０（非球面）  ０．４６３２
Ｓ５    −１２６．６１６２０（非球面）  １．５５００  １．５３１２０  ５６．５
Ｓ６        −１．７７４３０（非球面）  ０．３０９３
Ｓ７          ５．５６０４０（非球面）  ０．６７３２  １．５４３５３  ５６．２
Ｓ８          １．３５５６０（非球面）  ０．３６２０
Ｓ９          無限大                    ０．３０００  １．５１６８０  ６４．２
Ｓ１０        無限大                    ０．８６６８
ＩＭＧ        無限大                    ０．０００
【００６０】
非球面係数
Ｓ１  Ｋ：−５．９７１０００
Ａ：−０．１４８４１０Ｅ−０１  Ｂ：−０．７７３７０１Ｅ−０２
Ｃ：−０．１５９０３２Ｅ−０２  Ｄ：−０．８１５２０３Ｅ−０３
Ｓ２  Ｋ：−５．７６３１００
Ａ：−０．３６６８５８Ｅ−０１  Ｂ：０．２９７２４１Ｅ−０２
Ｃ：−０．３１４４２２Ｅ−０２  Ｄ：０．００００００Ｅ＋００
Ｓ４  Ｋ：−３．２４５５００
Ａ：−０．１１４８６０Ｅ−０１  Ｂ：０．１１７６７８Ｅ−０１
Ｃ：−０．３４０９４９Ｅ−０２  Ｄ：０．４０１６３４Ｅ−０３
Ｓ５  Ｋ：４９３４．８７６４００
Ａ：０．１３９９６８Ｅ−０１    Ｂ：−０．１２２７５４Ｅ−０１
Ｃ：０．６５２０６１Ｅ−０２    Ｄ：−０．１０３７９７Ｅ−０２
Ｓ６  Ｋ：−６．１５９５００
Ａ：−０．６５００９５Ｅ−０１  Ｂ：０．３６２３９０Ｅ−０１
Ｃ：−０．１５８２８０Ｅ−０１  Ｄ：０．４１１８８１Ｅ−０２
Ｅ：−０．３８０７９７Ｅ−０３
Ｓ７  Ｋ：−４８．６４２４００
Ａ：−０．６９９０８５Ｅ−０１  Ｂ：０．６８０３８１Ｅ−０２
Ｃ：０．７８５５３９Ｅ−０３    Ｄ：−０．９７０４５８Ｅ−０４
Ｓ８  Ｋ：−４．５１５２００
Ａ：−０．４２７６４６Ｅ−０１  Ｂ：０．７３６１９５Ｅ−０２
Ｃ：−０．１０４７７８Ｅ−０２  Ｄ：０．８２３６５０Ｅ−０４
Ｅ：−０．２６２３００Ｅ−０５
【００６１】
＜第３実施例＞
【００６２】
本発明の第３実施例のレンズ系（図５参照）のレンズデータを次に示す。
物体距離：無限大、焦点距離：４．８８０ｍｍ、ＦＮｏ：２．６９、半画角：３６．５°、射出角度：２２．９°、Ｂｆ（空気換算）：１．４５１ｍｍ、Ｂｆ（後部ガラスを含む）：１．５５４ｍｍ、Ｔ／Ｄ：６．７９６／７．０７＝０．９６１
（数式１）｜Ｌ１Ｒ１｜＞｜Ｌ１Ｒ２｜→｜４．９８９９｜＞｜−２．３５２２｜
（数式２）０．８＜｜Ｌ１Ｒ２｜／｜Ｌ２Ｒ２｜＜１．１→｜−２．３５２２｜／｜２．６１１７｜＝０．９０１
（数式３）１．０＜ｆ／｜ｆ２｜＜２．０→４．８８０／｜−３．０４８０｜＝１．６０１
（数式４）０．７＜ｆ１／｜ｆ２｜＜１．１→２．７５９９／｜−３．０４８０｜＝０．９０５
（数式５）０．７＜ｆ３／｜ｆ４｜＜１．２→３．１４０４／｜−３．１８０７｜＝０．９８７
（数式６）ν１−ν２＞１５→５８．２−３１．２＝２７．０
（数式７）０．９＜ν３／ν４＜１．１→５６．５／５６．２＝１．００５
【００６３】
曲率半径                  間隔          屈折率        アッベ数
Ｓ１（ＳＴ）  ４．９８９９０（非球面）  １．４０２５  １．６２２６３  ５８．２
Ｓ２        −２．３５２２０（非球面）  ０．１５９１
Ｓ３      −１２．３５６８０            ０．６９５５  １．６８８９３  ３１．２
Ｓ４          ２．６１１７０（非球面）  ０．４７６５
Ｓ５    −１３５．３５５５０（非球面）  １．６０００  １．５３１２０  ５６．５
Ｓ６        −１．６６１４０（非球面）  ０．２６４２
Ｓ７          ５．６５９３０（非球面）  ０．６４４５  １．５４３５３  ５６．２
Ｓ８          １．２７６３０（非球面）  ０．３６００
Ｓ９          無限大                    ０．３０００  １．５１６８０  ６４．２
Ｓ１０        無限大                    ０．８９３７
ＩＭＧ        無限大                    ０．０００
【００６４】
非球面係数
Ｓ１  Ｋ：−３．３２９７００
Ａ：−０．１５０６６９Ｅ−０１  Ｂ：−０．５８４４１７Ｅ−０２
Ｃ：−０．４４４９７１Ｅ−０２  Ｄ：０．１０７５１３Ｅ−０２
Ｓ２  Ｋ：−３．６１６０００
Ａ：−０．１０８６２２Ｅ−０１  Ｂ：−０．９６１１５３Ｅ−０２
Ｃ：−０．３６１６３７Ｅ−０３  Ｄ：０．００００００Ｅ＋００
Ｓ４  Ｋ：−２．６８５８００
Ａ：−０．１２０２１９Ｅ−０１  Ｂ：０．１１０５３９Ｅ−０１
Ｃ：−０．２４７１９３Ｅ−０２  Ｄ：０．２０９８２３Ｅ−０３
Ｓ５  Ｋ：４９３４．８７６４００
Ａ：０．１３７７１１Ｅ−０１    Ｂ：−０．１２０６４１Ｅ−０１
Ｃ：０．６０３５１８Ｅ−０２    Ｄ：−０．８７３７７７Ｅ−０３
Ｓ６  Ｋ：−５．６５９８００
Ａ：−０．６４０１０７Ｅ−０１  Ｂ：０．３５９４４２Ｅ−０１
Ｃ：−０．１５９０６３Ｅ−０１  Ｄ：０．４１０８２８Ｅ−０２
Ｅ：−０．３７６０６２Ｅ−０３
Ｓ７  Ｋ：−７８．７５７３００
Ａ：−０．７１８０４４Ｅ−０１  Ｂ：０．６９７９２８Ｅ−０２
Ｃ：０．８５０９７８Ｅ−０３    Ｄ：−０．１０６３５３Ｅ−０３
Ｓ８  Ｋ：−４．７４５５００
Ａ：−０．４３７８８１Ｅ−０１  Ｂ：０．７４４４７６Ｅ−０２
Ｃ：−０．１０４６８４Ｅ−０２  Ｄ：０．８２０３４９Ｅ−０４
Ｅ：−０．２６７８６２Ｅ−０５
【００６５】
＜第４実施例＞
本発明の第４実施例のレンズ系（図７参照）のレンズデータを次に示す。
物体距離：無限大、焦点距離：４．９０５ｍｍ、ＦＮｏ：２．６９、半画角：３６．３°、射出角度：２３．３°、Ｂｆ（空気換算）：１．６３４ｍｍ、Ｂｆ（後部ガラスを含む）：１．７３７ｍｍ、Ｔ／Ｄ：６．７９６／７．０７＝０．９６１
（数式１）｜Ｌ１Ｒ１｜＞｜Ｌ１Ｒ２｜→｜５．１１６６｜＞｜−２．６４０１｜
（数式２）０．８＜｜Ｌ１Ｒ２｜／｜Ｌ２Ｒ２｜＜１．１→｜−２．６４０１｜／｜２．７０９５｜＝０．９７４
（数式３）１．０＜ｆ／｜ｆ２｜＜２．０→４．９０５／｜−２．８９２２｜＝１．６９６
（数式４）０．７＜ｆ１／｜ｆ２｜＜１．１→２．６９４７／｜−２．８９２２｜＝０．９３２
（数式５）０．７＜ｆ３／｜ｆ４｜＜１．２→３．５７８６／｜−４．２１６９｜＝０．８４９
（数式６）ν１−ν２＞１５→５３．２−３１．２＝２２．０
（数式７）０．９＜ν３／ν４＜１．１→５６．５／５６．５＝１．０
【００６６】
曲率半径                  間隔          屈折率        アッベ数
Ｓ１（ＳＴ）  ５．１１６６０（非球面）  １．３６５０  １．６９３５０  ５３．２
Ｓ２        −２．６４０１０（非球面）  ０．１４０１
Ｓ３        −８．５８７５０（非球面）  ０．７１５０  １．６８８９３  ３１．２
Ｓ４          ２．７０９５０（非球面）  ０．５４８４
Ｓ５      −２４．０８９７０（非球面）  １．３９３９  １．５３１２０  ５６．５
Ｓ６        −１．８０４３０（非球面）  ０．２４００
Ｓ７          ３．２５８１０（非球面）  ０．６５６４  １．５３１２０  ５６．５
Ｓ８          １．２３７４０（非球面）  ０．３７００
Ｓ９          無限大                    ０．３０００  １．５１６８０  ６４．２
Ｓ１０        無限大                    １．０６７４
ＩＭＧ        無限大                    ０．０００
【００６７】
非球面係数
Ｓ１  Ｋ：−５７．６１１１００
Ａ：０．３２３１００Ｅ−０１    Ｂ：−０．５０７４９７Ｅ−０１
Ｃ：０．２６７２３１Ｅ−０１    Ｄ：−０．１２０４５３Ｅ−０１
Ｓ２  Ｋ：−２．２０１６００
Ａ：−０．５３４６８５Ｅ−０１  Ｂ：０．２８４２４５Ｅ−０１
Ｃ：−０．１５２４１１Ｅ−０１  Ｄ：０．１５２８９５Ｅ−０２
Ｓ３  Ｋ：２３．０７２３００
Ａ：−０．７４９１８４Ｅ−０１  Ｂ：０．６６５２０８Ｅ−０１
Ｃ：−０．２６８０７４Ｅ−０１  Ｄ：０．４３９４０２Ｅ−０２
Ｓ４  Ｋ：−６．２８５２００
Ａ：−０．８６４５５１Ｅ−０２  Ｂ：０．１４９３９７Ｅ−０１
Ｃ：−０．４３８７４５Ｅ−０２  Ｄ：０．４７１４７１Ｅ−０３
Ｓ５  Ｋ：１７１．８８３９００
Ａ：０．２６８７６７Ｅ−０１    Ｂ：−０．１８６１０７Ｅ−０１
Ｃ：０．７３３１３２Ｅ−０２    Ｄ：−０．９５６７１０Ｅ−０３
Ｓ６  Ｋ：−６．１４７４００
Ａ：−０．５７９６０９Ｅ−０１  Ｂ：０．３４６３５５Ｅ−０１
Ｃ：−０．１５２６９６Ｅ−０１  Ｄ：０．３８９２７２Ｅ−０２
Ｅ：−０．３５５６０６Ｅ−０３
Ｓ７  Ｋ：−２２．１６０８００
Ａ：−０．６２９４４１Ｅ−０１  Ｂ：０．６７８２１６Ｅ−０２
Ｃ：０．３９８６９２Ｅ−０３    Ｄ：−０．６１８７５７Ｅ−０４
Ｓ８  Ｋ：−４．４９６０００
Ａ：−０．４６３９６８Ｅ−０１  Ｂ：０．８１１５３２Ｅ−０２
Ｃ：−０．１１０３３６Ｅ−０２  Ｄ：０．８５１２９５Ｅ−０４
Ｅ：−０．２８３８９０Ｅ−０５
【００６８】
＜第５実施例＞
【００６９】
本発明の第５実施例に係るレンズ系（図９参照）のレンズデータを次に示す。
物体距離：無限大焦点距離：４．９４３ｍｍ、ＦＮｏ：２．６９、半画角：３６．２°、射出角度：２３．１°、Ｂｆ（空気換算）：１．２０９ｍｍ、Ｂｆ（後部ガラスを含む）：１．３１２ｍｍ、Ｔ／Ｄ：６．７９１／７．０７＝０．９６１
（数式１）｜Ｌ１Ｒ１｜＞｜Ｌ１Ｒ２｜→｜５．０９１５｜＞｜−３．３６８４｜
（数式２）０．８＜｜Ｌ１Ｒ２｜／｜Ｌ２Ｒ２｜＜１．１→｜−３．３６８４｜／｜３．４５４１｜＝０．９７５
（数式３）１．０＜ｆ／｜ｆ２｜＜２．０→４．９４３／｜−３．８２５５｜＝１．２９２
（数式４）０．７＜ｆ１／｜ｆ２｜＜１．１→３．１０９４／｜−３．８２５５｜＝０．８１３
（数式５）０．７＜ｆ３／｜ｆ４｜＜１．２→３．６８１０／｜−３．４２２７｜＝１．０７５
（数式６）ν１−ν２＞１５→５３．２−２６．７＝２６．５
（数式７）０．９＜ν３／ν４＜１．１→５６．２／５６．２＝１．０
【００７０】
曲率半径                  間隔          屈折率        アッベ数
Ｓ１（ＳＴ）  ５．０９１５０（非球面）  １．３２００  １．６９３５０  ５３．２
Ｓ２        −３．３６８４０（非球面）  ０．１９６３
Ｓ３      −１７．５２５５０            ０．７１９６  １．７３６８８  ２６．７
Ｓ４          ３．４５４１０（非球面）  ０．４９６５
Ｓ５    １９５９．２４０００（非球面）  １．４８９５  １．５４３５３  ５６．２
Ｓ６        −２．０１３２０（非球面）  ０．５２２４
Ｓ７  −１１１１．２２２９０（非球面）  ０．７３４９  １．５４３５３  ５６．２
Ｓ８          １．８７４１０（非球面）  ０．３０００
Ｓ９          無限大                    ０．３０００  １．５１６８０  ６４．２
Ｓ１０        無限大                    ０．７１１９
ＩＭＧ        無限大                    ０．０００
【００７１】
非球面係数
Ｓ１  Ｋ：−０．７９９５００
Ａ：−０．１４９３２２Ｅ−０１  Ｂ：−０．５００２４５Ｅ−０２
Ｃ：−０．８６１１０３Ｅ−０３  Ｄ：−０．８５５３５５Ｅ−０３
Ｓ２  Ｋ：１．１６８５００
Ａ：−０．３８３８５７Ｅ−０３  Ｂ：−０．２５６５９７Ｅ−０２
Ｃ：−０．１６５９１４Ｅ−０２  Ｄ：０．００００００Ｅ＋００
Ｓ４  Ｋ：０．００００００
Ａ：−０．２９８７７４Ｅ−０２  Ｂ：０．３９０４１２Ｅ−０３
Ｃ：０．００００００Ｅ＋００    Ｄ：０．００００００Ｅ＋００
Ｓ５  Ｋ：−７８５６５２７．４
Ａ：０．７９０９２５Ｅ−０２    Ｂ：−０．１０７３５６Ｅ−０１
Ｃ：０．６４７１００Ｅ−０２    Ｄ：−０．１１６７４４Ｅ−０２
Ｓ６  Ｋ：−７．２７００００
Ａ：−０．６７３２８１Ｅ−０１  Ｂ：０．３７４８９３Ｅ−０１
Ｃ：−０．１７４９３０Ｅ−０１  Ｄ：０．４９４３５９Ｅ−０２
Ｅ：−０．４８７３５８Ｅ−０３
Ｓ７  Ｋ：−２１５４５０３．９
Ａ：−０．６８１０４７Ｅ−０１  Ｂ：０．４０９０３８Ｅ−０２
Ｃ：０．１７２０１６Ｅ−０２    Ｄ：−０．１７６７２８Ｅ−０３
Ｓ８  Ｋ：−４．４１４２００
Ａ：−０．４４２９０３Ｅ−０１  Ｂ：０．８４７４９３Ｅ−０２
Ｃ：−０．１２８５６６Ｅ−０２  Ｄ：０．１０２１４１Ｅ−０３
Ｅ：−０．３２４２４７Ｅ−０５
【００７２】
前述したように、本発明によれば、解像度が高くて全体レンズ系の長さと射出角度とを満たし、かつ広角のレンズを提供する。例えば、１．７５μｍ未満の画素ピッチに対応できる解像度を持ち、かつＴ／Ｄ（レンズ系の全長Ｔと固体撮像素子の対角長さＤとの比）の値が１未満の薄型の撮像レンズ系を提供する。
【００７３】
前記した第１実施形態は例示的なものに過ぎず、当業者ならばこれより多様な変形及び均等な他の第１実施形態が可能であろう。したがって、本発明の真の技術的保護範囲は特許請求の範囲に記載された発明の技術的思想により定められねばならない。
【産業上の利用可能性】
【００７４】
本発明による撮像レンズ系は、解像度が高くて薄型及び小型化を達成して小型光学機器に好適に適用できる。本発明による撮像レンズ系は収差が良好に補正されて、ＣＣＤ、ＣＭＯＳなどの固体撮像素子を利用した電子スチールカメラに使われる小型レンズに適用できる。例えば、電子スチールカメラ、車両用カメラ、携帯電話端末機、携帯情報端末機器（ＰＤＡなど）、ＰＣカメラなどに使われる小型かつ薄型のモバイル機器用に使用することができる。
【符号の説明】
【００７５】
１    第１レンズ
２    第２レンズ
３    第３レンズ
４    第４レンズ
５    フィルタ
Ｉ    像側
Ｏ    物体側
【図１】
2010191417.tif 000004
【図２】
2010191417.tif 000005
【図３】
2010191417.tif 000006
【図４】
2010191417.tif 000007
【図５】
2010191417.tif 000008
【図６】
2010191417.tif 000009
【図７】
2010191417.tif 000010
【図８】
2010191417.tif 000011
【図９】
2010191417.tif 000012
【図１０】
2010191417.tif 000013